(57)【要約】【課題】筆記部が突出した状態で確実に筆記部と軸筒との隙間が無いことにより快適な筆記を得ることができ、経年的に筆記部の軸筒に対するガタが生じてもリフィールの交換だけでガタをなくすことができる筆記具を提供する。【解決手段】筆記具は、筆記体１２をコイルスプリング等の弾発部材１４によって後方に付勢して軸筒１０内に没入させると共に、前記筆記体１２の筆記部１６外周に突出状態の筆記部１６先端と軸筒１０との間の隙間を埋めるためのチャック部材１８を配設しており、該チャック部材１８が筆記部１６の外周に一体になっており、チャック部材１８が筆記部１６の先端と先軸２２の開口１０ａとの間の隙間に張り込む状態になり、ガタ付きが無くなる。【選択図】図１
2013216015.tif 000002
【特許請求の範囲】
【請求項１】
軸筒先端開口から筆記体が出没可能な筆記具であって、
前記筆記体を弾発部材によって軸筒内に没入させると共に、前記筆記体の筆記部外周に突出状態の筆記部先端と軸筒との間の隙間を埋めるためのチャック部材を配設し、該チャック部材が筆記部と一体になっていることを特徴とする筆記具。
【請求項２】
軸筒の内面にチャック部材を摺動可能とするカム溝を形成したことを特徴とする請求項１に記載の筆記具。
【請求項３】
チャック部材は、前記筆記体の周囲を取り囲む複数の弁状体からなるものであることを特徴とする請求項１または２に記載の筆記具。
【請求項４】
前記カム溝と前記弁状体は同数で形成されることを特徴とする請求項３に記載の筆記具。
【請求項５】
軸筒に対して、一つの筆記体を出没可能な単式の出没式であることを特徴とする請求項１から４のうちの１項に記載の筆記具。
【発明の詳細な説明】
【技術分野】
【０００１】
本発明は、ノック式ボールペンやシャープペン等の筆記具に関する。
【背景技術】
【０００２】
従来からある筆記具においては、筆記部と軸筒との組立性を確保し、また、ノック式筆記具においては摺動性を確保する必要があることから、筆記部と軸筒との間に僅かながら隙間が形成されている。
【０００３】
しかしながら、筆記部と軸筒との間に隙間があることで筆記時には筆記部がガタついてしまい快適な筆記を得ることができない。
【０００４】
そこで下記特許文献による解決方法が挙げられる。
【０００５】
実開平１−１６３８６号公報（：特許文献１）では、外軸先端部の先端口内にリフィール先端部とのガタ防止のアダプタを設けた筆記具が開示されている。
【０００６】
また、特開２００８−１６２１０５号公報（：特許文献２）では、筆記体の突出時には筆記体を保持し、没入時には開放する筆記体保持手段を配置した出没式筆記具が開示されている。
【０００７】
また、実開平５−１３７９０号公報（：特許文献３）では、口プラ内に切溝を設けた筒体（チャック）を固定して突出時の筆記先端部を係止する触れ防止機構が開示されている。
【先行技術文献】
【特許文献】
【０００８】
【特許文献１】実開平１−１６３８６号公報
【特許文献２】特開２００８−１６２１０５号公報
【特許文献３】実開平５−１３７９０号公報
【発明の概要】
【発明が解決しようとする課題】
【０００９】
しかしながら、前述の従来技術では、筆記部のガタを防止できる、筆記部を出没させて軸筒側の保持部で保持する構造のため、保持部が破損した場合にリフィールを交換してもガタが残り、別途に軸筒側の修理が必要になるので、使いにくい問題がある。出没式でない筆記具でもガタが生じた場合に、リフィールを交換するだけではガタが取れず、別に軸筒側の修理が面倒である。
【００１０】
本発明は、斯かる実情に鑑み、筆記部が突出した状態で確実に筆記部と軸筒との隙間が無いことにより快適な筆記を得ることができ、経年的に筆記部の軸筒に対するガタが生じてもリフィールの交換だけでガタをなくすことができる筆記具を提供しようとするものである。
【課題を解決するための手段】
【００１１】
本発明は、軸筒先端開口から筆記体が出没可能な筆記具であって、
前記筆記体を弾発部材によって軸筒内に没入させると共に、前記筆記体の筆記部外周に突出状態の筆記部先端と軸筒との間の隙間を埋めるためのチャック部材を配設し、該チャック部材が筆記部の外周に一体になっていることを特徴とする筆記具である。ここで挙げる一体とは、チャック部材が筆記部とが同一部材で形成されているだけでなく、チャック部材が筆記部に対して接着、嵌合、挿入等の別部材による取り付け、取り外しも含まれる。
【００１２】
本発明において、軸筒の内面にチャック部材を摺動可能とするカム溝を形成したことが好適である。
【００１３】
また、本発明において、チャック部材は、前記筆記体の周囲を取り囲む複数の弁状体からなるものであることが好適である。また、前記カム溝と前記弁状体は同数で形成されることが好適である。
【００１４】
本発明において、軸筒に対して、一つの筆記体を出没可能な単式の出没式であることが好適である。
【発明の効果】
【００１５】
本発明の筆記具によれば、軸筒先端開口から筆記体が出没可能な筆記具であって、前記筆記体を弾発部材によって軸筒内に没入させると共に、前記筆記体の筆記部外周に突出状態の筆記部先端と軸筒との間の隙間を埋めるためのチャック部材を配設し、該チャック部材が筆記部の外周に一体になっているので、ノック式筆記具における（ボールペン、シャープペンシル等）における、筆記部先端のガタ付きの防止ができる。ガタを抑制することで、書き味の向上を実現できる。さらに、筆記部先端の突出時にリフィールと共に、筆記部（チップ）周りに取り付けられたチャック部材が前進して、チャック部材がチップと口プラとの間の隙間に入り込む状態になるという優れた効果を奏し得る。
【図面の簡単な説明】
【００１６】
【図１】本発明の実施形態に係る筆記具の未筆記時の説明図で、（ａ）が側面図、（ｂ）が縦断面図、（ｃ）が（ａ）から９０度回転させた側面図、（ｄ）が（ｃ）の状態の縦断面図である。
【図２】図１の筆記具の筆記時の説明図で、（ａ）が側面図、（ｂ）が縦断面図、（ｃ）が（ａ）から９０度回転させた側面図、（ｄ）が（ｃ）の状態の縦断面図である。
【図３】図１の筆記具の先軸の説明図で、（ａ）が前方からの斜視図、（ｂ）が前方から見た図、（ｃ）が（ｅ）のＣ−Ｃ線に沿う断面図、（ｄ）が側面図、（ｅ）が（ｄ）から９０度回転させた側面図、（ｆ）が縦断面図、（ｇ）が後方からの斜視図、（ｈ）が後方から見た図である。
【図４】図１の筆記具の先軸の説明図で、（ａ）が前方からの斜視図、（ｂ）が前方から見た図、（ｃ）が側面図、（ｄ）が（ｃ）から９０度回転させた側面図、（ｅ）が（ｄ）の状態の縦断面図、（ｆ）が後方からの斜視図、（ｇ）が後方から見た図である。
【図５】図１の筆記具の筆記体の説明図で、（ａ）が前方側からの斜視図、（ｂ）が側面図、（ｃ）が（ｂ）から９０度回転させた側面図、（ｄ）が後方側からの斜視図である。
【図６】図１の筆記具の先端の作動状態説明図で、（ａ）が非ノック時、（ｂ）がノック具の説明図である。
【発明を実施するための形態】
【００１７】
以下、本発明の実施形態について、添付図面を参照して説明する。
【００１８】
図１〜図６によって実施形態に係るノック式の筆記具を説明する。
【００１９】
図１に未筆記時の状態を示し、図２にノック時の状態を示している。
実施形態の筆記具は、軸筒１０先端（先軸２２先端）の開口１０ａから筆記体１２が出没可能なノック式の筆記具である。
【００２０】
この筆記具では、前記筆記体１２をコイルスプリング等の弾発部材１４によって後方に付勢して軸筒１０内に没入させると共に、前記筆記体１２の筆記部１６外周に突出状態の筆記部１６先端と軸筒１０との間の隙間を埋めるためのチャック部材１８を配設している。該チャック部材１８が筆記部１６の外周に一体になっている。
【００２１】
また、軸筒１０先端に設けた先軸２２の内面にチャック部材１８を摺動可能とするカム溝２０を形成している。
【００２２】
ここで、軸筒１０は先方部が先軸２２で、後方部が後軸２４であって、先軸２２の後端部が後軸２４の先端部内に螺合されている。後軸２４内に筆記体１２を出没させるためのノック機構２６が設けられている。ノック機構２６は、後軸２４内に継手２８が固定されて、筆記体１２の後端部のノック棒３２に繋がるノック体３０が設けられたカーンノック式のものである。筆記体１２は、ボールペンまたはシャープペンいずれでもよい。
【００２３】
継手２８に弾発部材１４が係止して該弾発部材１４の弾発力によってノック体３０を後方に付勢して、未筆記時は、図１のように筆記体１２が後方に位置して筆記部１６が先軸２２内に没している。
また、筆記時は、図２にように、ノック体３０のノックによって、筆記体１２が前方に位置して筆記部１６先端が先軸２２から突出している。ノック機構は各種の周知の機構を用いることができる。また、先軸２２、後軸２４、継手２８、ノック体３０の各部は樹脂成形品であり、弾発部材１４は、ステンレス材のコイルスプリングを用いている。
【００２４】
図３に示すように、先軸２２の先端部の開口１０ａ内部には、軸方向に沿って形成されたカム溝２０が３箇所形成されている。
【００２５】
図４がチャック部材１８の説明図、図５が筆記体１２の説明図である。
図４、図５に示すように、チャック部材１８は、前記筆記体１２と別体であって、後端部１８ａ側が環状に繋がっていて、前記先方部１８ｂが３つ（３以外の複数でもよい）に分かれた剣状を呈した弁状体であり、全体が概略王冠状に形成された構造の樹脂成形品である。このチャック部材１８は、前記筆記部１６の周囲を取り囲むように該筆記部１６の先端部に外嵌されている。
なお、チャック部材の先方部１８ｂの弁状体の数はカム溝２０の溝数と同じになっている。また、先方部１８ｂの厚みが筆記体１２の外周とカム溝２０との間隙より僅かに厚くできている。また、先方部１８ｂは、後端部１８ａ側よりも先端側がやや広がっており、非ノック時には、広がって筆記部１６を締め付けていない。
【００２６】
図６（ａ）、（ｂ）は非ノック時、ノック時の説明図である。
上記の筆記具において、非ノック時には、図１、図６（ａ）に示すように、筆記体１２の筆記部１６が先軸２２の開口１０ａ内に没入している。
【００２７】
一方、ノック時には、図２、図６（ｂ）に示すように、筆記体１２と共にチャック部材１８が前進して、チャック部材の先方部１８ｂがカム溝２０に嵌りこみ、３つの弁状体の先方部１８ｂが縮径方向に閉じて筆記部１６を外周から締め付ける。また、ノック体３０と筆記体１２は軽圧入により連結されているので、同一方向に回転する。また、ノック体３０は、チャック部材１８と同角度で回転するので、ノック体３０のカム数はチャック部材１８の弁状体及びカム溝２０と同数で形成される。
【００２８】
したがって、実施形態の筆記具によれば、軸筒先端開口１０ａから筆記体１２が出没可能なノック式の筆記具であって、前記筆記体１２を弾発部材１４によって軸筒１０内に没入させると共に、前記筆記体１２の筆記部１６外周に突出状態の筆記部１６先端と軸筒１０との間の隙間を埋めるためのチャック部材１８を配設し、該チャック部材１８が筆記部１６の外周に一体になっているので、ノック式筆記具（ボールペン、シャープペンシル等）における、筆記部１６先端のガタ付き防止ができる。
【００２９】
ガタを抑制することで、書き味の向上を実現できる。さらに、筆記部１６先端の突出時にリフィールと共に、筆記部（チップ）周りに取り付けられたチャック部材１８が前進して、チャック部材１８が筆記部１６の先端チップと先軸（口プラとも称する）２２との間の隙間に張り込む状態になり、ガタ付きが無くなる。
【００３０】
したがって、筆記時において、筆記部１６と軸筒１０との隙間が無いことにより快適な筆記を得ることができる。
なお、実施形態のノック機構ではカーンノック式を用いてノックの度に筆記体１２が１２０度の回転をし、チャック部材１８の３つの先方部１８ｂの嵌り込むカム溝２０が交替するのでノック操作の度にチャック部材１８で埋める隙間の位置が変わり、筆記時に圧力の係るチャック部材１８の先方部１８ｂが交替し、偏りなく先方部１８ｂに応力が加わるため破損やガタが生じにくい。
【産業上の利用可能性】
【００３１】
本発明の筆記具は、出没式筆記具でなくとも、出没しないキャップ式筆記具でも利用可能であるが、特に出没式筆記具で有効である。また、筆記体は本例ではボールペンとなっているが、シャープペンシル、マーキングペンや、消しゴム、熱変色インク用の消去具等でも有効である。
【符号の説明】
【００３２】
１０  軸筒
１０ａ開口
１２  筆記体
１４  弾発部材
１６  筆記部
１８  チャック部材
１８ａ  後端部
１８ｂ  先方部
２０  カム溝
２２  先軸
２４  後軸
２６  ノック機構
２８  継手
３０  ノック体
３２  ノック棒
【図１】
2013216015.tif 000003
【図２】
2013216015.tif 000004
【図３】
2013216015.tif 000005
【図４】
2013216015.tif 000006
【図５】
2013216015.tif 000007
【図６】
2013216015.tif 000008